(57)【特許請求の範囲】
【請求項１】
脚頭部に対し、ブラケット、下段作業台、及び、底板型枠支持部材を含む柱頭部支保工を形成し、この柱頭部支保工の上に柱頭部型枠を形成し、
柱頭部型枠内にコンクリートを打設し、養生、緊張、及び、脱型の各工程を経て、柱頭部を構築し、
トラベラーを組み立て、構築された柱頭部上に固定し、
ブラケットの上、及び、トラベラーの上に移動台車をそれぞれ配置し、
トラベラー上の移動台車に上端を係止させた懸吊手段により、下段作業台の外側吊支点を吊支させて下段作業台の外側寄りの部分をトラベラー上の移動台車によって支持させるとともに、下段作業台の内側寄りの部分をブラケット上の移動台車によって支持させ、
移動台車をそれぞれ柱頭部の外側へ向かって移動させていき、下段作業台を、第１先端ブロックの構築位置の下方まで移動させ、
移動が完了したら、トラベラーから垂下させた吊り柱に下段作業台を固定し、吊り柱によって下段作業台を支持させることを特徴とする高架構造物における上部工の構築方法。
【請求項２】
下段作業台を第１先端ブロックの構築位置の下方まで移動させる際、ブラケット上の移動台車と脚頭部との間に、おしみ手段を張設しておくことを特徴とする、請求項１に記載の高架構造物における上部工の構築方法。
【発明の詳細な説明】
【技術分野】
【０００１】
本発明は、橋梁などの高架構造物における上部工の構築方法に関する。
【背景技術】
【０００２】
片持ち張出架設により橋梁上部工を構築する際、基本的には、まず脚頭部（下部工）の上に柱頭部（上部工）を構築し、次いで柱頭部の側方へ先端ブロック（張出しブロック）を連続的に構築していくという方法が実施されており、より具体的な構築方法としては、特開平０６−２３５２０８号公報に記載されているような方法が知られている。
【先行技術文献】
【特許文献】
【０００３】
【特許文献１】特開平０６−２３５２０８号公報
【発明の概要】
【発明が解決しようとする課題】
【０００４】
特開平０６−２３５２０８号公報に記載の上部工の構築方法においては、柱頭部（Ａ）の構築に使用した下段作業台（１６）を、第１先端ブロック（Ｂ）の下方の位置へ移動させる際、下段作業台（１６）を斜め上方から吊って（トラベラー（３０）上に配置された横梁（３２）のうち、下段作業台（１６）の各支持点の外側斜め上方に位置する横梁（３２）から、斜め下方へ向かって垂下させたチェーンブロック（３６）によって下段作業台（１６）を吊り下げて）、下段作業台（１６）と脚頭部（１０ａ）との間に張設したレバー式チェーンブロック（４０）（おしみ）を緩めていくことにより、下段作業台（１６）の重量を利用して第１先端ブロック（Ｂ）の構築位置へ移動させている。
【０００５】
このような方法によって下段作業台（１６）を移動させる場合において、万が一「おしみ」が切れてしまった場合、下段作業台（１６）が大きく揺動し、非常に危険である。
【０００６】
本発明は、上記のような従来技術の問題を解決しようとするものであって、下段作業台の移動を安全に実施することができる高架構造物における上部工の構築方法を提供することを目的とする。
【課題を解決するための手段】
【０００７】
本発明に係る高架構造物における上部工の構築方法は、脚頭部に対し、ブラケット、下段作業台、及び、底版型枠支持部材を含む柱頭部支保工を形成し、この柱頭部支保工の上に柱頭部型枠を形成し、柱頭部型枠内にコンクリートを打設し、養生、緊張、及び、脱型の各工程を経て、柱頭部を構築し、トラベラーを組み立て、構築された柱頭部上に固定し、ブラケットの上、及び、トラベラーの上に移動台車をそれぞれ配置し、トラベラー上の移動台車に上端を係止させた懸吊手段（チェーン、ワイヤー、又は、鋼棒）により、下段作業台の外側吊支点を吊支させて、下段作業台の外側寄りの部分をトラベラー上の移動台車によって支持させるとともに、下段作業台の内側寄りの部分をブラケット上の移動台車によって支持させ、移動台車をそれぞれ柱頭部の外側へ向かって移動させていき、下段作業台を、第１先端ブロックの構築位置の下方まで移動させ、トラベラーから垂下させた吊り柱に下段作業台を固定し、吊り柱によって下段作業台を支持させることを特徴としている。
【０００８】
尚、ブラケット上の移動台車と脚頭部との間に、おしみ手段（チェーン又はワイヤー）を張設しておくことが好ましい。
【発明の効果】
【０００９】
本発明に係る高架構造物における上部工の構築方法によれば、柱頭部の構築に使用した下段作業台を、第１先端ブロックの下方の位置へ移動させる作業を、安全かつ円滑に実施することができる。また、下段作業台を第１先端ブロックの構築位置の下方まで移動させる際、ブラケット上の移動台車と脚頭部との間に、おしみ手段を張設した場合には、下段作業台の逸走防止という効果を期待することができる。
【図面の簡単な説明】
【００１０】
【図１】図１は、本発明に係る「高架構造物における上部工の構築方法」の実施形態の説明図であって、柱頭部Ａの構築方法の説明図である。
【図２】図２は、本発明に係る「高架構造物における上部工の構築方法」の実施形態の説明図であって、第１先端ブロックＢの構築方法の説明図である。
【図３】図３は、本発明に係る「高架構造物における上部工の構築方法」の実施形態の説明図であって、第１先端ブロックＢの構築方法の説明図である。
【図４】図４は、本発明に係る「高架構造物における上部工の構築方法」の実施形態の説明図であって、第１先端ブロックＢの構築方法の説明図である。
【図５】図５は、本発明に係る「高架構造物における上部工の構築方法」の実施形態の説明図であって、第２先端ブロックＣの構築方法の説明図である。
【発明を実施するための形態】
【００１１】
以下、添付図面に沿って、本発明「高架構造物における上部工の構築方法」の実施形態について説明する。
【００１２】
（１．柱頭部Ａの構築）
まず、図１（１）に示すように、橋脚１０（下部工）を構築した段階で、脚頭部１０ａにブラケット１２を取着する。次に、図１（２）に示すように、ブラケット１２の上に下段作業台１６を設置し、更に、下段作業台１６上に、支持手段１８を介して底版型枠支持部材２０を設置する。
【００１３】
このようにして、脚頭部１０ａに対し、ブラケット１２、下段作業台１６、支持手段１８、及び、底版型枠支持部材２０からなる柱頭部支保工２２を形成する。そして、この柱頭部支保工２２の上に、底版型枠２４（図１（３）参照）、及び、張出型枠（図示せず）等からなる柱頭部型枠を形成する。そして、柱頭部型枠内にコンクリートを打設し、養生、緊張、及び、脱型の各工程を経て、柱頭部Ａを構築する。
【００１４】
（２．第１先端ブロックＢの構築）
図２（１）に示すように、トラベラー３０（移動構築装置）を組み立て、構築された柱頭部Ａ上に固定する。そして、図２（２）に示すように、吊り柱３４の上端をトラベラー３０に固定する。
【００１５】
続いて、下段作業台１６、及び、底版型枠支持部材２０等を、次のような手順により、第１先端ブロックＢの構築位置へ移動する。まず、図３（１）に示すように、ブラケット１２の上（ブラケット１２と下段作業台１６の間）、及び、トラベラー３０の上に、移動台車４０（無端ころ等）をそれぞれ配置する。尚、これらの移動台車４０のうち、ブラケット１２上の移動台車４０ａについては、下段作業台１６の脚頭部１０ａ側の支持点（内側支持点１６ａ）を支持できる位置（後方横梁の直下）に配置し、トラベラー３０上の移動台車４０ｂについては、下段作業台１６の外側（脚頭部１０ａとは反対の側）の吊支点（外側吊支点１６ｂ）の鉛直上方（前方横梁の鉛直上方）の位置に配置する。
【００１６】
次に、トラベラー３０上の移動台車４０ｂに上端を係止させた外側チェーン３８（懸吊手段）により、下段作業台１６の外側吊支点１６ｂを吊支させる。そうすると、下段作業台１６は、外側寄りの部分が、トラベラー３０上の移動台車４０ｂによって支持され、内側寄りの部分が、ブラケット１２上の移動台車４０ａによって支持されることになる。尚、移動台車４０ａと脚頭部１０ａとの間には、レバー式チェーンブロック４２を介在させたおしみチェーン４４（おしみ手段）を張設しておく。
【００１７】
そして、移動台車４０ａ，４０ｂをそれぞれ柱頭部Ａの外側へ移動させていき、下段作業台１６を、第１先端ブロックＢの構築位置の下方（図３（２）に示す位置）まで移動させる。このとき、移動台車４０ａの移動に合わせて、レバー式チェーンブロック４２を操作し、おしみチェーン４４を少しずつ繰り出していく。
【００１８】
下段作業台１６の移動が完了したら、図４に示すように、下段作業台１６を吊り柱３４に対して固定し、吊り柱３４によって下段作業台１６を支持させ、移動台車４０ａ，４０ｂ、及び、外側チェーン３８（図３参照）を撤去する。そして、トラベラー３０から垂下させた型枠吊支チェーン４６によって底版型枠支持部材２０を吊り、下段作業台１６上の適正な位置に底版型枠支持部材２０をセットし、底版型枠２４、及び、他の型枠（図示せず）をそれぞれ配置して第１先端ブロック型枠を形成する。そして、第１先端ブロック型枠内にコンクリートを打設し、養生、緊張、及び、脱型の各工程を経て、第１先端ブロックＢを構築する。
【００１９】
（３．第２先端ブロックＣの構築）
第１先端ブロックＢが構築されたら、吊り柱３４を介して下段作業台１６を吊支した状態のトラベラー３０を、図５に示すように、第１先端ブロックＢの上に移動させる。尚、トラベラー３０を移動したら、下段作業台１６の後方足場４５をブラケット１２上で組み立て、構築済みの先端ブロックの仕上げ作業をこの後方足場４５上で行う。
【００２０】
また、第２先端ブロックＣの外側に、第３先端ブロックを構築する場合は、下段作業台１６を吊支した状態のトラベラー３０を、第２先端ブロックＣの上に移動させ、第２先端ブロックＣの構築と同様の手順で第３先端ブロックを構築する。第３先端ブロックの外側に第４先端ブロックを構築する場合も同様である。
【００２１】
以上に説明したような方法によって高架構造物における上部工を構築すれば、柱頭部Ａの構築に使用した下段作業台１６を、第１先端ブロックＢの下方の位置へ移動させる作業を、安全かつ円滑に実施することができる。
【００２２】
尚、本実施形態においては、下段作業台１６の外側吊支点１６ｂを吊支させる懸吊手段、或いは、移動台車４０ａと脚頭部１０ａとの間に調節されるおしみ手段として、いずれもチェーンが用いられているが、チェーンの代わりにワイヤーを用いることもでき、前者については鋼棒を用いることもできる。
【符号の説明】
【００２３】
１０：橋脚、
１０ａ：脚頭部、
１２：ブラケット、
１６：下段作業台、
１６ａ：内側支持点、
１６ｂ：外側吊支点、
１８：支持手段、
２０：底版型枠支持部材、
２２：柱頭部支保工、
２４：底版型枠、
３０：トラベラー、
３４：吊り柱、
３８：外側チェーン、
４０，４０ａ，４０ｂ：移動台車、
４２：レバー式チェーンブロック、
４４：おしみチェーン、
４５：後方足場、
４６：型枠吊支チェーン、
Ａ：柱頭部、
Ｂ：第１先端ブロック、
Ｃ：第２先端ブロック
【図１】
0005711179.tif 000002
【図２】
0005711179.tif 000003
【図３】
0005711179.tif 000004
【図４】
0005711179.tif 000005
【図５】
0005711179.tif 000006